(57)【要約】【課題】番組またはシーンの嗜好情報を容易に取り扱える。【解決手段】実施形態に係る電子機器は、撮像手段１３０と設定手段１２７とを備える。撮像手段１３０は、映像が表示される画面に対向する方向を少なくとも撮像する。設定手段１２７は、視聴者の年齢が第１閾値よりも小さいことに対応する第１条件を満足する場合であって、撮像手段１３０によって撮像される視聴者の視聴態様が、視聴している映像について否定的であることに対応する第２条件を満足する場合に、第２条件を満足したときに視聴中であった番組またはシーンの視聴を抑制するための第１設定を行う。設定手段１２７は、第１設定を行ったあと第１期間が経過した場合、第１設定を自動的に解除する。【選択図】  図２
2015179914.tif 000002
【特許請求の範囲】
【請求項１】
映像が表示される画面に対向する方向を少なくとも撮像可能な撮像手段と、
視聴者の年齢が第１閾値よりも小さいことに対応する第１条件を満足する場合であって、前記撮像手段によって撮像される視聴者の視聴態様が、視聴している映像について否定的であることに対応する第２条件を満足する場合に、前記第２条件を満足したときに視聴中であった第１番組の第１シーンの視聴を少なくとも抑制するための第１設定を行う設定手段と、
前記設定手段は、前記第１設定を行ったあと第１期間が経過した場合、前記第１設定を自動的に解除する、電子機器。
【請求項２】
前記第１条件は、視聴者が乳児または幼児の少なくとも一方か、又はそれに近い年齢であることを含む請求項１に記載の電子機器。
【請求項３】
前記第２条件は、少なくとも視聴者が泣き叫んでいるか否かを用いて判断される条件であることである請求項１または請求項２に記載の電子機器。
【請求項４】
前記第１設定は、前記第１シーンと同一または実質的に同一なシーンのみならず、前記第１シーンに対応する第２シーンの視聴を少なくとも抑制するためのものである請求項１乃至請求項３のいずれか１項に記載の電子機器。
【請求項５】
映像が表示される画面に対向する方向を少なくとも撮像し、
視聴者の年齢が第１閾値よりも小さいことに対応する第１条件を満足する場合であって、撮像される視聴者の視聴態様が、視聴している映像について否定的であることに対応する第２条件を満足する場合に、前記第２条件を満足したときに視聴中であった第１番組の第１シーンの視聴を少なくとも抑制するための第１設定を行い、
前記第１設定を行ったあと第１期間が経過した場合、前記第１設定を自動的に解除する、電子機器の制御方法。
【請求項６】
前記第１条件は、視聴者が乳児または幼児の少なくとも一方か、又はそれに近い年齢であることを含む請求項５に記載の電子機器の制御方法。
【請求項７】
前記第２条件は、少なくとも視聴者が泣き叫んでいるか否かを用いて判断される条件であることである請求項５または請求項６に記載の電子機器の制御方法。
【請求項８】
前記第１設定は、前記第１シーンと同一または実質的に同一なシーンのみならず、前記第１シーンに対応する第２シーンの視聴を少なくとも抑制するためのものである請求項５乃至請求項７のいずれか１項に記載の電子機器の制御方法。
【請求項９】
映像が表示される画面に対向する方向を少なくとも撮像する機能と、
視聴者の年齢が第１閾値よりも小さいことに対応する第１条件を満足する場合であって、撮像される視聴者の視聴態様が、視聴している映像について否定的であることに対応する第２条件を満足する場合に、前記第２条件を満足したときに視聴中であった第１番組の第１シーンの視聴を少なくとも抑制するための第１設定を行う機能と、
前記第１設定を行ったあと第１期間が経過した場合、前記第１設定を自動的に解除する機能とを、電子機器に実現させるためのプログラム。
【請求項１０】
前記第１条件は、視聴者が乳児または幼児の少なくとも一方か、又はそれに近い年齢であることを含む請求項９に記載のプログラム。
【請求項１１】
前記第２条件は、少なくとも視聴者が泣き叫んでいるか否かを用いて判断される条件であることである請求項９または請求項１０に記載のプログラム。
【請求項１２】
前記第１設定は、前記第１シーンと同一または実質的に同一なシーンのみならず、前記第１シーンに対応する第２シーンの視聴を少なくとも抑制するためのものである請求項９乃至請求項１１のいずれか１項に記載のプログラム。
【発明の詳細な説明】
【技術分野】
【０００１】
本実施形態は、番組またはシーンの嗜好情報の取り扱いに関する。
【背景技術】
【０００２】
近年、テレビジョン放送番組をはじめとする多種多様な番組（またはその一部（シーン））についての嗜好情報を活用が提案されている。
【先行技術文献】
【特許文献】
【０００３】
【特許文献１】特表２００５−５０２１５６号公報
【発明の概要】
【発明が解決しようとする課題】
【０００４】
一実施形態では、番組またはシーンの嗜好情報を容易に取り扱える電子機器、方法、およびプログラムを提供することを目的とする。
【課題を解決するための手段】
【０００５】
上記目的を達成するために、実施形態に係る電子機器は、撮像手段と設定手段とを備える。撮像手段は、映像が表示される画面に対向する方向を少なくとも撮像する。設定手段は、視聴者の年齢が第１閾値よりも小さいことに対応する第１条件を満足する場合であって、撮像手段によって撮像される視聴者の視聴態様が、視聴している映像について否定的であることに対応する第２条件を満足する場合に、第２条件を満足したときに視聴中であった番組またはシーンの視聴を抑制するための第１設定を行う。設定手段は、第１設定を行ったあと第１期間が経過した場合、第１設定を自動的に解除する。
【図面の簡単な説明】
【０００６】
【図１】一実施形態の電子機器と外部装置との連携動作を示す図。
【図２】一実施形態に係る電子機器の構成を示す図。
【図３】一実施形態に係る電子機器の動作を示すフローチャート。
【図４】一実施形態に係る電子機器の動作を示すフローチャート。
【発明を実施するための形態】
【０００７】
以下、本発明の実施形態について説明する。以下に示す実施形態は、電子機器を適用したテレビジョン放送表示装置の例について説明する。しかしながら、本実施形態は、電子機器をテレビジョン放送表示装置に制限するものではなく、パーソナルコンピュータ、スマートフォン、タブレット、録画再生装置（プレーヤ、レコーダ）等にも適用することができる。
【０００８】
（実施形態）
図１は、実施形態にかかるテレビジョン放送表示装置１００と外部装置との連携動作を示す図である。テレビジョン放送表示装置１００は、インターネット等のネットワーク１６０を介して、クラウドサーバ２００と接続されている。図１では、単一のテレビジョン放送表示装置１００しか示していないが、複数のテレビジョン放送表示装置１００や、スマートフォン、タブレット、録画再生装置等が、インターネット等のネットワーク１６０でクラウドサーバ２００と接続されている。
【０００９】
本実施形態のテレビジョン放送表示装置１００は、放送波から提供される番組や光学記録媒体に記録されたコンテンツの再生のみならず、インターネット等を介してクラウドサーバ２００、ＶｏＤサーバ等の外部装置から提供されるプログラムやサービス等を実行可能であってもよい。
【００１０】
クラウドサーバ２００は、ネットワーク１６０に接続されたテレビジョン放送表示装置１００や他の電子機器等に対して、種々の情報、アプリケーション、クラウドサービスを提供するサーバである。クラウドサーバ２００は、図１に示すように、収集サーバ２１０と、検索サーバ２２０と、配信サーバ２３０とを主に備えている。
【００１１】
収集サーバ２１０は、ネットワーク１６０経由でテレビジョン放送表示装置１００や他の電子機器等から視聴・録画・視聴予約・録画予約・ホワイトリスト設定・ブラックリスト設定・レーティング設定された番組またはシーンの情報を収集して、履歴データとして保存しておく。シーンとは番組の一部であって、１つの番組に複数のシーンが含まれる。ホワイトリスト設定・ブラックリスト設定は、ある年代（幼児期・少年期を含む）または特定のユーザに対して番組またはシーンの視聴等を許可・禁止するための設定である。レーティング設定は、ある年齢以下（１２歳、１５歳、１８歳等）のユーザに対してのみ番組またはシーンの視聴等を許可するための設定である。番組の情報には、番組名、チャンネル番号、放送日時や、番組の詳細情報等、番組に関する情報等が含まれてもよい。収集サーバ２１０は、同一ユーザにより使用される複数の電子機器（テレビジョン放送表示装置１００や、スマートフォン、タブレット、録画再生装置等）の履歴データをまとめて収集・管理してもよく、それぞれ別個に収集・管理してもよく、識別可能に収集・管理してもよい。
【００１２】
検索サーバ２２０は、テレビジョン放送表示装置１００や他の電子機器等から、番組やシーンについての情報の取得要求を受信した場合に、収集サーバ２１０で管理している履歴データや、他のサーバ等で管理している電子番組情報から、要求で指定された番組やシーンの情報を要求の送信元に送信する。検索サーバ２２０は、あるユーザ又は電子機器についての情報の取得要求を受信した場合に、当該ユーザ又は電子機器から収集された履歴データを要求の送信元に送信する。例えば、検索サーバ２２０は、特定のユーザ又は特定の電子機器について、特定のコンテンツに含まれる複数のシーンのブラックリスト登録の有無を送信できる。
【００１３】
配信サーバ２３０は、テレビジョン放送表示装置１００や他の電子機器等のユーザから送信されたメールや各種メッセージを指定された宛先のユーザに配信して、共有する。配信サーバ２３０は、検索サーバ２２０にて提供可能な履歴データ等を、宛先のユーザにあわせて送信してもよい。
【００１４】
なお、クラウドサーバ２００の構成はこれらに限定されるものではなく、提供するサービスに応じて種々のサーバを備えるようにクラウドサーバ２００を構成することができる。
【００１５】
図２は、本実施形態にかかるテレビジョン放送表示装置１００の構成を示す図である。テレビジョン放送表示装置１００は、デジタル放送の放送波から取り出した映像信号を用いて番組の映像を表示でき、光学記録媒体に記録されたコンテンツを再生できる。
【００１６】
テレビジョン放送表示装置１００は、図２に示すように、アンテナ１１２、入力端子１１３、チューナ１１４および復調器１１５を有している。アンテナ１１２は、デジタル放送の放送波を捕らえ、その放送波の放送信号を、入力端子１１３を介してチューナ１１４に供給する。
【００１７】
チューナ１１４は、入力されたデジタル放送の放送信号から所望のチャンネルの放送信号を選局する。チューナ１１４から出力された放送信号は復調器１１５に供給される。復調器１１５は、放送信号に復調処理を施し、デジタル映像信号および音声信号を復調して、後述するセレクタ１１６に供給する。
【００１８】
テレビジョン放送表示装置１００は入力端子１２１，１２３、Ａ／Ｄ変換部１２２、信号処理部１２４、スピーカ１２５および映像表示パネル１０２を有している。
【００１９】
入力端子１２１には外部からアナログの映像信号および音声信号が入力され、入力端子１２３には外部からデジタルの映像信号および音声信号が入力される。入力端子１２３には、デジタルの映像信号および音声信号を記録可能な光学ドライブや内蔵または外付けの記憶媒体（ＨＤＤ（Ｈａｒｄ  Ｄｉｓｋ  Ｄｒｉｖｅ）等）が接続可能である。
【００２０】
Ａ／Ｄ変換部１２２は入力端子１２１から供給されるアナログの映像信号および音声信号をデジタル信号に変換し、セレクタ１１６に供給する。
【００２１】
セレクタ１１６は、復調器１１５、Ａ／Ｄ変換部１２２および入力端子１２３から供給されるデジタルの映像信号及び音声信号から１つを選択して、信号処理部１２４に供給する。
【００２２】
信号処理部１２４は、入力される映像信号について、所定の信号処理やスケーリング処理等を施し、処理後の映像信号を映像表示パネル１０２に供給する。信号処理部１２４は、入力されたデジタル音声信号に所定の信号処理を施し、アナログ音声信号に変換してスピーカ１２５に出力する。テレビジョン放送表示装置１００は、少なくともＴＳデマルチプレクサおよびＭＰＥＧデコーダを有し、ＭＰＥＧデコーダによってデコードされた後の信号が信号処理部１２４に入力される。信号処理部１２４は、映像表示パネル１０２に表示させるためのＯＳＤ（Ｏｎ  Ｓｃｒｅｅｎ  ｄｉｓｐｌａｙ）信号も生成している。
【００２３】
スピーカ１２５は、信号処理部１２４から供給される音声信号を入力し、その音声信号を用いて音声を出力する。
【００２４】
映像表示パネル１０２は、液晶ディスプレイやプラズマディスプレイ等のフラットパネルディスプレイから構成される。映像表示パネル１０２は、信号処理部１２４から供給される映像信号を用いて映像を表示する。
【００２５】
さらに、テレビジョン放送表示装置１００は制御部１２７、操作部１２８、受光部１２９、カメラ１３０、メモリ１３１、及び通信Ｉ／Ｆ１３２を有している。
【００２６】
制御部１２７は、テレビジョン放送表示装置１００における種々の動作を統括的に制御する。制御部１２７は、ＣＰＵ（Ｃｅｎｔｒａｌ  Ｐｒｏｃｅｓｓｉｎｇ  Ｕｎｉｔ）等を内蔵したマイクロプロセッサであり、操作部１２８からの操作情報を入力する一方、リモートコントローラ１５０から送信された操作情報を、受光部１２９を介して入力し、それらの操作情報にしたがい各部をそれぞれ制御する。本実施形態の受光部１２９は、リモートコントローラ１５０からの赤外線を受光する。
【００２７】
この場合、制御部１２７は、メモリ１３１を使用している。メモリ１３１は、主として、制御部１２７に内蔵されているＣＰＵが実行する制御プログラムを格納したＲＯＭ（Ｒｅａｄ  Ｏｎｌｙ  Ｍｅｍｏｒｙ）と、ＣＰＵに作業エリアを提供するためのＲＡＭ（Ｒａｎｄｏｍ  Ａｃｃｅｓｓ  Ｍｅｍｏｒｙ）と、各種の設定情報及び制御情報等が格納される不揮発性メモリとを有している。メモリ１３１は、テレビジョン放送表示装置１００の視聴・録画・視聴予約・録画予約・ホワイトリスト設定・ブラックリスト設定・レーティング設定された番組またはシーンの情報（履歴データ）を保存する。メモリ１３１は、他の電子機器（たとえば、同一ユーザの他の電子機器）の履歴データを保存してもよい。
【００２８】
カメラ１３０は、テレビジョン放送表示装置１００（映像表示パネル１０２）の前方（対向方向）を撮像可能となるように配置されている。撮像された画像は、視聴者の画像を含むため、制御部１２７は、認識処理等を活用することによって、現在視聴中の番組またはシーンを実際にどのようなユーザが視聴しているか、そしてユーザの視聴態様を把握することができる。たとえば、制御部１２７は、視聴者個人を特定する処理、視聴者の感情を認識する処理を行う。制御部１２７は、たとえば、特定の視聴者、視聴者の年齢層（赤ちゃん、新生児、未満児、乳児、幼児、小人、児童、子供、青年、大人等）、および、視聴者の拒絶反応の有無（泣き叫ぶ等）を把握することができる。
【００２９】
通信Ｉ／Ｆ１３２は、ネットワーク１６０を介して様々な通信装置（例えばサーバ）と接続されており、テレビジョン放送表示装置１００で利用可能なプログラムやサービスを受信するほか、様々な情報を送信することができる。通信Ｉ／Ｆ１３２は、テレビジョン放送表示装置１００の履歴データを、収集サーバ２１０へ送信できる。通信Ｉ／Ｆ１３２は、他の電子機器の履歴データを取得するための要求を検索サーバ２２０へ送信することで、検索サーバ２２０から、他の電子機器の履歴データを受信できる。
【００３０】
図３は、ブラックリスト設定されたシーンを含むコンテンツを再生する場合の制御部１２７の動作を示すフローチャートである。ここで、視聴者は、主に、乳児、幼児、およびそれに準ずる程度の年齢層を想定する。そして、メモリ１３１は、その視聴者に関連づけられて、ブラックリスト設定されたシーンの情報を記憶しているものとする。
【００３１】
ブラックリストに登録されたシーンは、コンテンツを識別するための情報（コンテンツＩＤなど）と、コンテンツのいずれの部分（シーン）かを識別するための情報（光学記憶媒体に記憶されたコンテンツのチャプタ番号、録画された番組のテロップ等の解析によって自動的に付与されるチャプタ番号、放送・録画番組の開始時刻からの経過時間、シーンＩＤ等）とによって特定される。放送される番組・シーン、光学記憶媒体に記憶されたコンテンツ・シーン、ＶｏＤによって取得されるコンテンツ・シーン等で、挿入される広告（ＣＭ）の有無・相違や、コンテンツの一部省略（カット）・追加等があっても、実質的に同一のコンテンツ・シーンであれば、同一のコンテンツ・シーンとして見なすことしてもよい。
【００３２】
まず、制御部１２７は、ユーザの再生操作に従って、指定されたコンテンツの再生を開始するための処理を行う（ステップＳ１０１）。再生されるコンテンツは、チューナ１１４を介して出力されるデジタル放送の放送信号のコンテンツ、又は、入力端子１２１、１２３を介して入力されるアナログ・デジタルの映像信号および音声信号のコンテンツである。
【００３３】
次に、制御部１２７は、カメラ１３０の撮像結果、または、ユーザインターフェースを介したユーザによる操作により、現在、映像表示パネルに表示されるコンテンツを視聴するユーザ（視聴者）を識別するか、視聴者の年齢層を検出する（ステップＳ１０２）。視聴者の識別は、カメラ１３０の撮像結果からの視聴者の顔画像認識によって行われてもよく、ユーザによる明示的な入力を用いて行われてもよく、テレビジョン放送表示装置１００のアカウントのログイン状況を用いて行われてもよい。視聴者の年齢層は、カメラ１３０の撮像結果を用いて、乳児に対応する程度か、幼児に対応する程度か、小学生以上に対応する程度かといった大まかに判別されてもよく、各ユーザの登録情報（顔画像と年齢の情報を少なくとも含む）と、カメラ１３０の撮像結果からの視聴者の顔画像認識とを用いて判別されてもよく、現在、乳児又は幼児が視聴していることがユーザによって入力されたか否かによって判別されてもよい。
【００３４】
次に、制御部１２７は、メモリ１３１から、視聴者の識別結果、又は視聴者の年齢層の検出結果を用いて、現在の視聴者に対応するブラックリストを取得する（ステップＳ１０３）。ブラックリストは、現在視聴中又は視聴予定のコンテンツに含まれる複数のシーンのうち、現在の視聴者の視聴を抑制する必要がある１以上のコンテンツのシーンを特定するために用いられる情報であれば、どのようなものであってもよい。ブラックリストは、特定の個人に関連付けられていてもよく、テレビジョン放送表示装置１００を視聴する特定の年齢層（主に、乳児、幼児、それに準ずる程度の年齢層）自体に関連付けられていてもよい。
【００３５】
次に、制御部１２７は、Ｓ１０１にて再生が開始されたコンテンツの再生を停止する場合、当該コンテンツの再生を停止するための処理を行う（ステップＳ１０４の“ＮＯ”から“終了”へ）。コンテンツの再生を停止する場合とは、ユーザによってコンテンツの再生を停止するための操作がなされた場合、コンテンツの再生が終了した場合等である。
【００３６】
一方で、制御部１２７は、Ｓ１０１にて再生が開始されたコンテンツの再生を継続する場合、当該コンテンツの再生を継続するための処理を行う（ステップＳ１０４の“ＹＥＳ”）。コンテンツの再生を継続する場合とは、ユーザによって特段の操作がなされなかった場合、また、コンテンツが終了しておらず、コンテンツの再生継続が可能な場合である。
【００３７】
次に、制御部１２７は、これから再生するコンテンツのシーンが、ステップＳ１０３で取得したブラックリストにより、現在の視聴者の視聴を抑制する必要があるか否かを判断する（ステップＳ１０５）．
これから再生するコンテンツのシーンの視聴を抑制する必要がない場合、制御部１２７は、当該コンテンツの再生を継続するための処理を行う（ステップＳ１０５の“ＮＯ”からステップ“Ｓ１０４”へ）。
【００３８】
一方で、これから再生するコンテンツのシーンの視聴を抑制する必要がある場合、制御部１２７は、当該シーンがブラックリストに登録された日（当該シーンが視聴者にとって視聴を抑制する必要があることが登録された日、以下、ブラックリスト登録日）から、一定期間が経過したか否かを判断する（ステップＳ１０６）。この一定期間とは、固定値とされてもよく、視聴者の年齢層（乳児か、幼児か、小学生か、それ以上か等）に応じて異なる値が定められてもよく、たとえば、３か月、半年、１年といった期間である。
【００３９】
ブラックリスト登録日から一定期間が経過していない場合（ステップＳ１０７の“ＮＯ”）、制御部１２７は、これから再生するコンテンツのシーンであって、ブラックリストに対応するシーンをスキップして、当該シーンの後続のシーンを再生する（ステップＳ１０４）。当該シーンのスキップは、当該シーンの映像と音声の双方の表示を行わずに、即座に又は一定期間経過後、当該シーンの終了後から始まる映像と音声を再生してもよく、当該シーンの映像又は音声の一方のみを再生してもよい。
【００４０】
制御部１２７は、当該シーンのスキップを行う前に、ブラックリストに従ったシーンのスキップを行うか否かを決定するためのＧＵＩ（Ｇｒａｐｈｉｃａｌ  Ｕｓｅｒ  Ｉｎｔｅｒｆａｃｅ）を映像表示パネル１０２に表示してもよい。制御部１２７は、当該ＧＵＩが表示された場合、シーンをスキップするための操作がある場合のみ当該シーンをスキップしてもよく、シーンのスキップを行わないための操作がある場合のみ当該シーンのスキップを行わず、通常通り再生してもよい。
【００４１】
制御部１２７は、当該シーンのスキップを行った後、ある一定期間の間、あるシーンをスキップしたことがユーザに把握可能な表示（テロップ、アイコン等）を、映像表示パネル１０２に表示してもよい。この際、制御部１２７は、スキップしたシーンを、戻って再生するためのＧＵＩをあわせて映像表示パネル１０２に表示してもよい。
【００４２】
一方で、ブラックリスト登録日から一定期間が既に経過している場合（ステップＳ１０７の“ＹＥＳ”）、制御部１２７は、これから再生するコンテンツのシーンであって、ブラックリストに対応するシーンについて、ブラックリストの登録を削除または無効化し（ステップＳ１０８）、当該シーンをスキップせずに通常通り再生する（ステップＳ１０４）。
【００４３】
このように、テレビジョン放送表示装置１００は、ブラックリスト登録日から一定期間が経過しているか否かに応じて、ブラックリストとして登録されたシーンをスキップするか否かを判断してコンテンツを再生する。このようにすることで、乳幼児のような、嗜好の変化が激しい視聴者に対しても、拒否行動が検出された場合に自動的にシーンをブラックリストに登録するとともに、嗜好が変化したと考えられる程度期間が経過した場合にはその視聴を自動的に可能とすることで、安心できるコンテンツの視聴を実現できる。
【００４４】
図４は、あるシーンをブラックリストに登録する場合の制御部１２７の動作を示すフローチャートである。ここで、上記同様、視聴者は、主に、乳児、幼児、およびそれに準ずる程度の年齢層を想定する。そして、メモリ１３１は、その視聴者に関連づけられて、ブラックリスト設定されたシーンの情報を記憶しているものとする。
【００４５】
まず、制御部１２７が、カメラ１３０の撮像結果から、現在の視聴者の拒否行動を検出したものとする（ステップＳ２０１）。拒否行動とは、主に乳児、幼児、およびそれに準ずる程度の年齢層の視聴者が、泣き叫ぶ等の視聴態様をとることによって検出される。
【００４６】
なお、視聴者の拒否行動（たとえば、乳幼児が泣き叫ぶ等）が検出された場合であっても、テレビジョン放送表示装置１００が再生するコンテンツと関係のない場合もある。制御部１２７は、撮像部１３０の撮像結果より、視聴者の視線が映像表示パネル１０２に向かっているか否かに応じて、視聴者の拒否行動が検出された際に再生中のシーンをブラックリストに登録するか否かを決定できる。たとえば、視聴者の視線が映像表示パネル１０２に向かっている場合のみ、制御部１２７は、視聴者の拒否行動が検出された際に再生中のシーンをブラックリストに登録してもよい。
【００４７】
次に、制御部１２７は、視聴者の拒否行動を検出したときに再生中であるシーンが、ブラックリストに登録済みのコンテンツのシーンの前のシーンであるか否かを判断する（ステップＳ２０２）。ブラックリストに登録済みのコンテンツのシーンの前のシーンとは、ブラックリストに登録済みのコンテンツのシーンの直前のシーンとしてもよく、ブラックリストに登録済みのコンテンツのシーンの時刻から一定期間遡った時刻までの期間に対応するシーンとしてもよく、ブラックリストに登録済みのコンテンツのシーンよりも前のすべてのシーンとしてもよい。
【００４８】
拒否行動検出時に再生中のシーンが、ブラックリストに登録済みのシーンの前のシーンである場合（ステップＳ２０２の“ＹＥＳ”）、制御部１２７は、その再生中のシーンのブラックリストには登録しない（ステップＳ２０４）。
【００４９】
拒否行動検出時に再生中のシーンが、ブラックリストに登録済みのシーンの前のシーンでない場合（ステップＳ２０２の“ＮＯ”）、制御部１２７は、その再生中のシーンをブラックリストに登録する（ステップＳ２０３）
このようにすることで、現在再生中であるシーンに対して視聴者が拒否行動を行ったのか、それとも、現在再生中であるシーンから将来再生されるシーンを想像してしまい、その将来再生されるシーンに対して視聴者が拒否行動を行ったのかを区別することができる。特に乳幼児は、あるコンテンツに拒否行動を行った経験がある場合に、当該コンテンツの再生の開始直後に再度の拒否行動をとる可能性があり、不必要なブラックリストの登録を防止できる。そのため、視聴者が視聴を真に拒否したシーンのみを自動的にブラックリストに登録することができる。
【００５０】
なお、上記実施形態では、拒否行動が検出された際に再生中であったシーンと同一又は実質的に同一なシーンが、ブラックリストに登録されるものとして説明した。しかし、拒否行動が検出された際に再生中であった第１シーンに対応する第２シーンについてもあわせて、ブラックリストに登録してもよい。
【００５１】
第１シーンに伴ってブラックリスト登録される第２シーンは、第１シーンに拒否行動を示した視聴者が、拒否行動を示す可能性が高いシーンであればよい。第２シーンは、たとえば、コンテンツ・番組のオープニングやエンディング、特定のコーナー等、シリーズもののコンテンツ・番組がそれぞれ有する近似するシーンに従って定められてもよい。またたとえば、第２シーンは、多数の視聴者の履歴データより、第１シーンに拒否行動を示したある年代の視聴者は、第２シーンに拒否行動を検出する可能性が高い等の統計的な結論に従って定められてもよく、このようなシーンの関係はデータベースで記憶されてもよい。
【００５２】
また、上記実施形態に加えて、放送番組であって過去に録画済み番組一覧、放送番組であって将来視聴可能な番組一覧、光学記憶媒体に記憶されたコンテンツ一覧、ＶｏＤによって取得可能なコンテンツ一覧等のＧＵＩ（Ｇｒａｐｈｉｃａｌ  Ｕｓｅｒ  Ｉｎｔｅｒｆａｃｅ）に、ブラックリスト設定されたシーンが含まれるか否かの情報（記号、アイコン等）、ブラックリスト設定されたシーンの数、ブラックリスト設定された日時からの経過時間等を表示してもよい。このようにすることで、視聴者が、乳幼児等の拒否行動の履歴を踏まえて上で、視聴するコンテンツを選択できる。
【００５３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。また、例えば、実施形態に示される全構成要素から幾つかの構成要素を削除してもよい。
【符号の説明】
【００５４】
１００…テレビジョン放送表示装置、１０２…映像表示パネル、１１２…アンテナ、１１３、１２１、１２３…入力端子、１１４…チューナ、１１５…復調器、１１６…セレクタ、１２２…Ａ／Ｄ変換器、１２４…信号処理部、１２５…スピーカ、１２７…制御部、１２８…操作部、１２９…受光部、１３０…カメラ、１３１…メモリ、１３２…通信Ｉ／Ｆ、１５０…リモコン、１６０…ネットワーク、２００…クラウドサーバ、２１０…収集サーバ、２２０…検索サーバ、２３０…配信サーバ
【図１】
2015179914.tif 000003
【図２】
2015179914.tif 000004
【図３】
2015179914.tif 000005
【図４】
2015179914.tif 000006